(57)【特許請求の範囲】
【請求項１】
移動通信システムにおける端末の信号伝送方法であって、
新規データ指示子（ＮＤＩ）を含むアップリンク伝送資源割り当てメッセージを基地局から受信する段階と、
ＨＡＲＱバッファーが空いていれば、ＮＤＩと無関係に新規伝送を実行する段階と、
前記ＨＡＲＱバッファーが空いておらず、前記ＮＤＩがトグルされていない場合、再伝送を実行する段階と、
最後の再伝送可能な時間を確認する段階と、
前記最後の再伝送可能な時間が経過した場合、前記ＨＡＲＱバッファーに保存されているデータを廃棄する段階と、
を含むことを特徴とする信号伝送方法。
【請求項２】
前記新規伝送を実行する段階は、新規ＭＡＣ  ＰＤＵを前記基地局に伝送する段階をさらに含む、請求項１記載の信号伝送方法。
【請求項３】
移動通信システムで信号を伝送する端末であって、
基地局と無線チャネルとを通じて信号を送受信する送受信部と、
前記送受信部を通じて受信された信号からアップリンク伝送資源割り当てメッセージを抽出するＰＤＣＣＨ（Ｐｈｙｓｉｃａｌ  Ｄｏｗｎｌｉｎｋ  Ｃｏｎｔｒｏｌ  ＣＨａｎｎｅｌ）処理部と、
新規データ指示子（ＮＤＩ）を含むアップリンク伝送資源割り当てメッセージの受信時、ＨＡＲＱバッファーが空いていれば、ＮＤＩと無関係に新規伝送を実行し、前記ＨＡＲＱバッファーが空いておらず、前記ＮＤＩがトグルされていない場合は、再伝送を実行するように制御する伝送資源制御部と、を含み、
前記伝送資源制御部は、最後の再伝送可能な時間を確認し、前記最後の再伝送可能な時間が経過した場合、前記ＨＡＲＱバッファーに保存されているデータを廃棄するように、さらに制御する、ことを特徴とする端末。
【請求項４】
前記伝送資源制御部は、新規伝送を実行する時、新規ＭＡＣ  ＰＤＵを前記基地局に伝送するように制御する、請求項３記載の端末。
【発明の詳細な説明】
【技術分野】
【０００１】
本発明は、移動通信システムにおいて逆方向伝送資源割り当てメッセージを処理する方法及び装置に関し、より詳細には、移動通信システムにおいて最初逆方向伝送資源割り当てメッセージと再伝送逆方向伝送資源割り当てメッセージを区別する方法及び装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）システムは、ヨーロッパ式移動通信システムであるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）とＧＰＲＳ（Ｇｅｎｅｒａｌ  Ｐａｃｋｅｔ  Ｒａｄｉｏ  Ｓｅｒｖｉｃｅｓ）を基盤として広帯域（Ｗｉｄｅｂａｎｄ）符号分割多重接続（Ｃｏｄｅ  Ｄｉｖｉｓｉｏｎ  Ｍｕｌｔｉｐｌｅ  Ａｃｃｅｓｓ、以下、ＣＤＭＡという）を使用する第３世代非同期移動通信システムである。
【０００３】
現在、ＵＭＴＳ標準化を担当している３ＧＰＰ（３ｒｄ  Ｇｅｎｅｒａｔｉｏｎ  Ｐａｒｔｎｅｒｓｈｉｐ  Ｐｒｏｊｅｃｔ）においては、ＵＭＴＳシステムの次世代移動通信システムとしてＬＴＥ（Ｌｏｎｇ  Ｔｅｒｍ  Ｅｖｏｌｕｔｉｏｎ）に関する論議が進行中にある。ＬＴＥは、最大１００Ｍｂｐｓ程度の伝送速度を有する高速パケット基盤通信を具現する技術であって、２０１０年頃に商用化することを目標にしている。このために、様々な方案が論議されているが、例えば、ネットワークの構造を簡単にして、通信路上に位置するノードの数を低減する方案や、無線プロトコルを最大限無線チャネルに近接させる方案などが論議中にある。
【０００４】
図１は、ＬＴＥ移動通信システムの構造を示す図である。
図１を参照すれば、図示のように、次世代無線アクセスネットワーク（Ｅｖｏｌｖｅｄ  Ｒａｄｉｏ  Ａｃｃｅｓｓ  Ｎｅｔｗｏｒｋ、以下、Ｅ−ＲＡＮという）１１０、１１２は、次世代基地局（Ｅｖｏｌｖｅｄ  Ｎｏｄｅ  Ｂ、以下、ＥＮＢまたはＮｏｄｅ  Ｂという）１２０、１２２、１２４、１２６、１２８と、上位ノード（Ａｃｃｅｓｓ  Ｇａｔｅｗａｙという）１３０、１３２の２ノード構造に単純化される。ユーザ端末（Ｕｓｅｒ  Ｅｑｕｉｐｍｅｎｔ、以下、ＵＥという）１０１は、Ｅ−ＲＡＮ１１０、１１２によってインターネットプロトコル（Ｉｎｔｅｒｎｅｔ  Ｐｒｏｔｏｃｏｌ、以下、ＩＰという）ネットワークに接続する。
【０００５】
ＥＮＢ１２０〜１２８は、ＵＭＴＳシステムの既存のノードＢに対応する。ＥＮＢは、ＵＥ１０１と無線チャネルで連結され、既存ノードＢより複雑な役目を行う。ＬＴＥでは、インターネットプロトコルを用いたＶｏＩＰ（Ｖｏｉｃｅ  ｏｖｅｒ  ＩＰ）のようなリアルタイムサービスを含めたすべてのユーザトラフィックが共用チャネル（ｓｈａｒｅｄ  ｃｈａｎｎｅｌ）を通じてサービスされるので、ＵＥの状況情報をまとめてスケジューリングする装置が必要であり、これをＥＮＢ１２０〜１２８が担当する。１つのＥＮＢは、通常、多数のセルを制御する。最大１００Ｍｂｐｓの伝送速度を具現するために、ＬＴＥは、最大２０ＭＨｚ帯域幅で直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、以下、ＯＦＤＭという）を無線接続技術として使用する。また、端末のチャネル状態に合わせて変調方式（ｍｏｄｕｌａｔｉｏｎ  ｓｃｈｅｍｅ）とチャネルコーディング率（ｃｈａｎｎｅｌ  ｃｏｄｉｎｇ  ｒａｔｅ）を決定する適応変調コーディング（Ａｄａｐｔｉｖｅ  Ｍｏｄｕｌａｔｉｏｎ  ＆  Ｃｏｄｉｎｇ、以下、ＡＭＣという）方式を適用する。
【０００６】
図２は、ＬＴＥシステムのプロトコルスタックを示す図である。
図２に示されるように、ＬＴＥシステムの無線プロトコルは、ＰＤＣＰ（Ｐａｃｋｅｔ  Ｄａｔａ  Ｃｏｎｖｅｒｇｅｎｃｅ  Ｐｒｏｔｏｃｏｌ）２０５、２４０、ＲＬＣ（Ｒａｄｉｏ  Ｌｉｎｋ  Ｃｏｎｔｒｏｌ）２１０、２３５、ＭＡＣ（Ｍｅｄｉｕｍ  Ａｃｃｅｓｓ  Ｃｏｎｔｒｏｌ） ２１５、２３０、物理（ＰＨＹｓｉｃａｌ）階層２２０、２２５よりなる。ＰＤＣＰ（Ｐａｃｋｅｔ  Ｄａｔａ  Ｃｏｎｖｅｒｇｅｎｃｅ  Ｐｒｏｔｏｃｏｌ）２０５、２４０は、ＩＰヘッダー圧縮／復元などの動作を担当し、無線リンク制御（Ｒａｄｉｏ  Ｌｉｎｋ  Ｃｏｎｔｒｏｌ、以下、ＲＬＣと言う）２１０、２３５は、ＰＤＣＰ  ＰＤＵ（Ｐａｃｋｅｔ  Ｄａｔａ  Ｕｎｉｔ、以下、特定プロトコル階層装置で出力されるパケットを上記プロトコルのＰＤＵと称する）を適切なサイズに再構成してＡＲＱ動作などを行う。ＭＡＣ２１５、２３０は、一端末に構成された様々なＲＬＣ階層装置と連結され、ＲＬＣ ＰＤＵをＭＡＣ ＰＤＵに多重化し、ＭＡＣ ＰＤＵからＲＬＣ ＰＤＵを逆多重化する動作を行う。物理階層２２０、２２５は、上位階層データをチャネルコーディング及び変調し、ＯＦＤＭシンボルに作って無線チャネルを通じて伝送するか、または無線チャネルを通じて受信したＯＦＤＭシンボルを復調し、チャネルデコーディングして上位階層に伝達する動作をする。
【０００７】
ＬＴＥ移動通信システムにおいては、逆方向ＭＡＣ ＰＤＵの伝送時にＨＡＲＱを適用して伝送効率を高める。ＨＡＲＱが適用される移動通信システムにおいてＭＡＣ ＰＤＵの受信に失敗した受信装置は、送信装置にＨＡＲＱＮＡＣＫを伝送し、送信装置は、ＭＡＣ ＰＤＵを再伝送する。受信装置は、上記再伝送されたＭＡＣ ＰＤＵを既存のＭＡＣ ＰＤＵと軟性結合することによって、送受信成功確率を高める。
【０００８】
ＬＴＥ移動通信システムにおいて伝送資源は、逆方向伝送資源割り当てメッセージを通じて割り当てられる。
【０００９】
図３は、逆方向伝送資源割り当てメッセージの一例を示す図である。
図３に示された伝送資源割り当てメッセージを参照すれば、伝送資源割り当てフィールド３０５は、端末が使用する伝送資源の量と位置を示す情報である。ＬＴＥ移動通信システムにおいて単位伝送資源は、１ｍｓｅｃ長さと所定の帯域幅で構成されるリソースブロック（ｒｅｓｏｕｒｃｅ  ｂｌｏｃｋ）であり、上記伝送資源割り当てフィールドを通じてリソースブロックが割り当てられる。
【００１０】
変調／チャネルコーディングフィールド３１０は、伝送するデータに適用する変調方式とチャネルコーディング率を指示するフィールドである。上記フィールドは、５ビットであり、ＱＰＳＫ変調と０．１１チャネルコーディング率の組み合わせを指示するコードポイントから６４ＱＡＭ変調と０．９５チャネルコーディング率の組み合わせを指示するコードポイントまで２９個のコードポイントで構成される。残りの３個のポイントは、ＲＶ（Ｒｅｄｕｎｄａｎｃｙ  Ｖｅｒｓｉｏｎ）を指示する。これについてさらに詳しく説明するために、下記表１を参照する。
【００１１】
【表１】
0005977946.tif 000002
【００１２】
表１は、３ＧＰＰ標準文書３６．２１３Ｖ  ８．６０に開示されたもので、変調／チャネルコーディングフィールド３１０に収納されるＭＣＳレベルによる伝送ブロックサイズ（ＴＢＳ）インデックスとＲＶの関係を開示している。表１を参照すれば、ＭＣＳレベルが０〜２８の場合、ＲＶが０であり、各々に対応する伝送ブロックサイズ（ＴＢＳ）インデックスが存在する。また、ＭＣＳレベルが２９〜３１の場合、ＲＶは、各々１〜３であり、対応する伝送ブロックサイズ（ＴＢＳ）インデックスは存在しない。
【００１３】
ＮＤＩ（Ｎｅｗ  Ｄａｔａ  Ｉｎｄｉｃａｔｏｒ）３１５は、当該伝送資源割り当てメッセージが新しい伝送に関するものであるか、再伝送に関するものであるかを指示する１ビット情報である。
【００１４】
逆方向ＨＡＲＱ動作、逆方向伝送資源割り当てメッセージとＮＤＩの用例を図４に示した。
【００１５】
図４は、逆方向伝送資源割り当てメッセージとＮＤＩの用例を示す図である。
図４を参照すれば、任意の時点に端末が逆方向伝送資源割り当てメッセージを受信すれば（４０５）、端末は、所定のＴ  ４１０が経過した後、上記逆方向伝送資源割り当てメッセージが指示する伝送資源４１５とＭＣＳレベルを利用してＭＡＣ ＰＤＵを伝送する。説明の便宜のために、４０５で割り当てられた伝送資源を通じて伝送されるＭＡＣ ＰＤＵをＭＡＣ ＰＤＵ  Ａと命名する。端末は、上記ＭＡＣ ＰＤＵ  Ａの伝送が完了するまで、すなわち上記ＭＡＣ ＰＤＵ  Ａに対するＨＡＲＱ  ＡＣＫが受信されるか、所定の最大許容再伝送回数に到逹するまでＨＡＲＱ  ＲＴＴ  ４１７という所定の時差をもって上記伝送資源を使用して再伝送を行う（４２０、４２５）。任意の時点に上記ＭＡＣ ＰＤＵ  Ａの伝送が完了し、その後、任意の時点に上記端末に新しい逆方向伝送資源割り当てメッセージが伝送される（４３０）。上記伝送資源割り当てメッセージのＮＤＩは、以前の伝送資源割り当てメッセージのＮＤＩと異なる値が指示され、端末は、ＮＤＩが変わったことを見て、上記時点に受信した逆方向伝送資源割り当てメッセージが新しいＭＡＣ ＰＤＵ伝送のための伝送資源割り当てメッセージであることを認知する。端末は、上記新しい伝送資源４３５を利用して新しいＭＡＣ ＰＤＵ、例えばＭＡＣ ＰＤＵ  Ｂの伝送を開始する。同じく、端末は、所定のＨＡＲＱ  ＲＴＴごとに上記割り当てられた伝送資源を利用してＭＡＣ ＰＤＵを再伝送する（４４０）。
【００１６】
伝送資源の効率的な利用のために、基地局は、現在進行中のＭＡＣ ＰＤＵ伝送を他の伝送資源に移動させることができる。これを適応的再伝送（ａｄａｐｔｉｖｅ  ｒｅｔｒａｎｓｍｉｓｓｉｏｎ）といい、基地局は、端末にＮＤＩが同一の逆方向伝送資源割り当てメッセージを伝送することによって、端末に適応的再伝送を指示する。例えば、４３０以後の任意の時点にＭＡＣ ＰＤＵ  Ｂ伝送のための伝送資源を他のＲＢに移動させようとすれば、上記移動しようとする新しい伝送資源情報が収納され、上記ＭＡＣ ＰＤＵ  Ｂ伝送を命令した以前の逆方向伝送資源割り当てメッセージのＮＤＩと同一のＮＤＩであるＮＤＩ １が収納された逆方向伝送資源割り当てメッセージ４４３を端末に伝送する。端末は、以前のＮＤＩと同一のＮＤＩが指示された逆方向伝送資源割り当てメッセージを受信すれば、適応的再伝送が命令されたものと判断し、上記新しく割り当てられた伝送資源を利用してＭＡＣ ＰＤＵ  Ｂの再伝送を行う（４４５、４５０）。
【００１７】
このようにＮＤＩを利用して当該逆方向伝送資源割り当てメッセージが既存のＭＡＣ ＰＤＵの再伝送用であるか、新しいＭＡＣ ＰＤＵ伝送用であるかを判断することは、端末がすべての逆方向伝送資源割り当てメッセージを成功的に受信するという前題の下に動作する。
【００１８】
図５は、従来技術の問題点を示す図である。
図５を参照すれば、任意の時点にＮＤＩが０に設定された逆方向伝送資源割り当てメッセージを端末が受信し（５０５）、図４で説明したように、端末は、上記逆方向伝送資源割り当てメッセージが指示する伝送資源５１５とＭＣＳレベルを利用してＭＡＣ ＰＤＵを伝送し、所定のＨＡＲＱ ＲＴＴごとに上記割り当てられた伝送資源を利用してＭＡＣ ＰＤＵを再伝送する（５２０）。ＭＡＣ ＰＤＵの伝送を完了した後、端末は、任意の時点に新しいＭＡＣ ＰＤＵ伝送を命令する、すなわちＮＤＩが１に変更された伝送資源割り当てメッセージを遺失し（５２５）、その後、任意の時点に他の新しいＭＡＣ ＰＤＵ伝送を命令する伝送資源割り当てメッセージ、すなわちＮＤＩが０に変更されたメッセージ５３０を受信する場合があり得る。この場合、メッセージ５３０のＮＤＩが最も最近に受信した逆方向伝送資源割り当てメッセージ５０５のＮＤＩと同一なので、端末は、上記逆方向伝送資源割り当てメッセージを適応的再伝送のためのメッセージとして誤認することができる。
【発明の概要】
【発明が解決しようとする課題】
【００１９】
したがって、本発明は、移動通信システムにおいて最初逆方向伝送資源割り当て情報と再伝送用逆方向伝送資源割り当てメッセージを区別する方法及び装置を提供する。
【００２０】
また、本発明は、端末が逆方向伝送資源割り当て情報の受信時に新しいＭＡＣ ＰＤＵ伝送のための逆方向伝送資源割り当てメッセージと適応的再伝送のための逆方向伝送資源割り当てメッセージを区別する方法及び装置を提供する。
【００２１】
また、本発明は、基地局が逆方向伝送資源割り当て情報の伝送時に新しいＭＡＣ ＰＤＵ伝送のための逆方向伝送資源割り当てメッセージと適応的再伝送のための逆方向伝送資源割り当てメッセージを区別する方法及び装置を提供する。
【課題を解決するための手段】
【００２２】
上記目的を達成するために、本発明による移動通信システムにおける端末の信号伝送方法は、基地局から逆方向伝送資源割り当てメッセージを受信する段階と、ＨＡＲＱバッファーにデータが空いているかを判断する段階と、前記ＨＡＲＱバッファーが空いていると判断した場合、前記逆方向伝送資源割り当てメッセージに含まれた情報を利用して新しいＭＡＣ ＰＤＵを生成し、前記新しいＭＡＣ ＰＤＵを前記基地局に伝送する段階とを含む。また、前記判断する段階の実行後に、ＲＶ（Ｒｅｄｕｎｄａｎｃｙ  Ｖｅｒｓｉｏｎ）値が“０”であるかを判断する段階をさらに含み、前記伝送する段階は、前記ＲＶ値が“０”である場合に実行することを特徴とする。また、前記ＲＶ値が“０”ではない場合、受信した逆方向伝送資源割り当てメッセージを無視することを特徴とする。
【００２３】
また、本発明による移動通信システムにおいて端末は、無線チャネルを通じて基地局ｓＰＤＣＣＨ及びトラフィックを送受信する送受信部と、前記送受信部から受信された逆方向伝送資源割り当てメッセージを伝送資源制御部に伝達するＰＤＣＣＨ処理部と、ＨＡＲＱバッファーの状態と、伝達された逆方向伝送資源割り当てメッセージに含まれたＮＤＩ（Ｎｅｗ  Ｄａｔａ  Ｉｎｄｉｃａｔｏｒ、ＮＤＩ）とＲＶ（Ｒｅｄｕｎｄａｎｃｙ  Ｖｅｒｓｉｏｎ）を利用して前記逆方向伝送資源割り当てメッセージが新しいＭＡＣ ＰＤＵの最初伝送を指示する逆方向伝送資源割り当てメッセージであるか、既存のＭＡＣ ＰＤＵの適応的再伝送を指示する逆方向伝送資源割り当てメッセージであるか、または新しいＭＡＣ ＰＤＵの適応的再伝送を指示する逆方向伝送資源割り当てメッセージであるかを確認する伝送資源制御部と、ＨＡＲＱ動作を行うＨＡＲＱ装置と、ＲＬＣ装置、ＰＤＣＰ装置及びＭＡＣ多重化装置の上位階層動作を行う上位階層装置と、を含むことを特徴とする。前記伝送資源制御部は、前記ＨＡＲＱバッファーが空いていて、前記ＲＶ値が０である場合、前記逆方向伝送資源割り当てメッセージが新しいＭＡＣ ＰＤＵの最初伝送を指示する逆方向伝送資源割り当てメッセージであると判断し、前記伝送資源割り当てメッセージに含まれたＭＣＳ（Ｍｏｄｕｌａｔｉｏｎ  ａｎｄ  Ｃｏｄｉｎｇ  Ｓｃｈｅｍｅ）レベルを利用して伝送すべきＭＡＣ ＰＤＵのサイズを決定し、決定されたサイズのＭＡＣ ＰＤＵを構成し、ＨＡＲＱ装置に伝達するように上位階層装置を制御することを特徴とする。
【発明の効果】
【００２４】
以上説明したように、本発明による移動通信システムにおいて端末の信号伝送方法及びこのための装置によれば、次のような効果がある。
【００２５】
移動通信システムにおいて新しいパケット伝送のための逆方向伝送資源割り当てメッセージと既存のパケットの再伝送のための逆方向伝送資源割り当てメッセージを区別することができるようにして、上記２つのメッセージが誤認された時に発生する伝送資源の無駄使いを防止することができる。
【図面の簡単な説明】
【００２６】
【図１】次世代移動通信システム構造の一例を示す図である。
【図２】次世代移動通信システムのプロトコルスタックを示す図である。
【図３】逆方向伝送資源割り当てメッセージの一例を示す図である。
【図４】逆方向伝送資源割り当てメッセージとＮＤＩの用例を説明した図である。
【図５】従来技術の問題点を示す図である。
【図６】本発明の一実施例による全体動作を示す図である。
【図７】本発明の一実施例による端末動作を示す図である。
【図８】ＲＶ伝送例を示す図である。
【図９】適応的再伝送とＲＶの用例を示す図である。
【図１０】本発明の一実施例による他の端末動作を示す図である。
【図１１】本発明の 一実施例によるさらに他の端末動作を示す図である。
【図１２】本発明の 一実施例によるさらに他の端末動作を示す図である。
【図１３】ＲＶバンドル伝送例を示す図である。
【図１４】本発明の他の実施例による全体動作を示す図である。
【図１５】本発明の 他の実施例による端末動作を示す図である。
【図１６】端末の構造を示す図である。
【発明を実施するための形態】
【００２７】
従来、ＮＤＩだけでは新しいパケット伝送のための逆方向伝送資源割り当てメッセージと既存のパケットの再伝送のための逆方向伝送資源割り当てメッセージを区分することができない場合が発生する。本発明では、端末がＮＤＩ、ＲＶ及びＨＡＲＱバッファー状態をすべて考慮して逆方向伝送資源割り当てメッセージが新しいパケットの伝送用であるか、既存のパケットの再伝送用であるかを判断する方法及び装置を提示する。
【００２８】
以前の逆方向伝送資源割り当てメッセージと同一のＮＤＩを収納したが、新しいパケット伝送を指示する逆方向伝送資源割り当てメッセージは、通常、以前のパケットの伝送が完了した後に発生する。上記事項に着目した本発明において、端末は、任意のＨＡＲＱプロセスに対する最初伝送が指示されれば、最後の再伝送可能時点を算出し、上記最後の再伝送可能時点が経過すれば、ＭＡＣ ＰＤＵ伝送が成功しなかったとしても、当該ＨＡＲＱバッファーに保存されているデータを廃棄する。また、端末は、任意のＨＡＲＱプロセスに対する逆方向伝送資源割り当てメッセージを受信した場合、当該ＨＡＲＱプロセスのバッファーにデータがなければ、すなわち上記逆方向伝送資源割り当てメッセージが上記ＨＡＲＱバッファーに保存されているデータが廃棄された後に初めて受信した逆方向伝送資源割り当てメッセージであれば、上記メッセージのＮＤＩが指示する値と関係なく、上記逆方向伝送資源割り当てメッセージを新しいＭＡＣ ＰＤＵ伝送を指示するものと判断する。
【００２９】
図６は、本発明の一実施例による全体システムの動作を説明する図である。
図６を参照すれば、任意の時点に端末が新しいパケット伝送を指示する任意のＨＡＲＱプロセスＸに対する逆方向伝送資源割り当てメッセージ６０５を受信すれば、端末は、所定のＴが経過した後、上記逆方向伝送資源割り当てメッセージが指示する伝送資源を使用してＨＡＲＱプロセスＸを通じてＭＡＣ ＰＤＵを伝送する（６１０）。端末は、上記伝送に対するフィードバック信号がＮＡＣＫ６２５なら、以前の伝送からＨＡＲＱ ＲＴＴだけ経過した時点に同一の伝送資源を使用してＭＡＣ ＰＤＵを再伝送する（６１５、６２０）。端末は、上記のような再伝送動作を最大伝送回数まで進行することができる。任意の時点にＭＡＣ ＰＤＵ伝送に対するＨＡＲＱ  ＡＣＫ６３５を受信すれば、端末は、再伝送を中止する。また、最後の再伝送時点６４５が経過すれば、ＨＡＲＱプロセスＸに保存されている上記ＭＡＣ ＰＤＵを廃棄する（６４０）。その後、任意の時点に上記端末に新しいＭＡＣ ＰＤＵ伝送を指示するＨＡＲＱプロセスＸに対する逆方向伝送資源割り当てメッセージ６５０が伝送されたが、端末がこれを受信しなかったと仮定すれば、端末が逆方向にデータを伝送しないので、基地局は、所定の再伝送時点ごとにノイズをデコーディングする過程を繰り返し、最後の再伝送時点が経過すれば、ＭＡＣ ＰＤＵ伝送が失敗し、当該ＨＡＲＱ過程が完了したものと判断する。その後、任意の時点に基地局は、上記端末に新しいＭＡＣ ＰＤＵの伝送を指示するプロセスに対する逆方向伝送資源割り当てメッセージ６５５を伝送し、端末は、上記メッセージを正しく受信する時、上記メッセージのＮＤＩは、０であって、端末が直前に受信した逆方向伝送資源割り当てメッセージのＮＤＩと同一なので、端末がＮＤＩだけを参照する場合、上記逆方向伝送資源割り当てメッセージを再伝送用伝送資源割り当てメッセージとして誤認する。本発明において端末は、任意のプロセスに対する逆方向伝送資源割り当てメッセージを受信すれば、まず、上記プロセスのＨＡＲＱバッファーにデータが保存されているかを検査する。上記バッファーにデータが保存されていたら、ＮＤＩを参照して新しいＭＡＣ ＰＤＵ伝送指示可否を判断し、上記バッファーにデータが保存されていなければ、ＮＤＩ値と関係なく、新しいＭＡＣ ＰＤＵ伝送を指示するものと判断する。
【００３０】
図７は、本発明の一実施例による端末動作を説明する流れ図である。
図７を参照すれば、段階７０５で、任意のＨＡＲＱプロセスに対する逆方向伝送資源割り当てメッセージを受信すれば、端末は、段階７１０に進行し、上記プロセスのＨＡＲＱバッファー状態を検査する。上記ＨＡＲＱバッファーが空いていたら、端末は、上記逆方向伝送資源割り当てメッセージを新しいＭＡＣ ＰＤＵの伝送を指示する逆方向伝送資源割り当てメッセージとして判断し、段階７１５に分岐する。上記ＨＡＲＱバッファーにデータが保存されていたら、段階７３０に分岐し、上記逆方向伝送資源割り当てメッセージが新しいＭＡＣ ＰＤＵ伝送用であるか、再伝送用であるかをＮＤＩで判断することができる。
【００３１】
段階７１５に進行したということは、割り当てられた伝送資源を利用して端末が新しいＭＡＣ ＰＤＵを伝送しなければならないことを意味する。端末は、段階７１５でＲＶを検査する。ＲＶが０なら、上記逆方向伝送資源割り当てメッセージが、新しいＭＡＣ ＰＤＵの適応的再伝送ではなく、最初伝送用であることを意味し、端末は、段階７２５に分岐する。ＲＶが０ではなく、他の値なら、上記逆方向伝送資源割り当てメッセージは、新しいＭＡＣ ＰＤＵの適応的再伝送用であることを意味し、端末は、段階７２０に分岐する。以下、説明を進行する前に図８及び図９を参照してＲＶをさらに詳しく説明する。
【００３２】
図８は、ＲＶ伝送例を示す図である。
図９は、適応的再伝送とＲＶの用例を示す図である。
図８及び図９を参照すれば、ＲＶは、ＨＡＲＱ再伝送が原本データのどんな部分を収納しているかを指示する情報である。新しいＭＡＣ ＰＤＵの最初伝送を指示する逆方向伝送資源割り当てメッセージには、伝送資源割り当て情報とＭＣＳレベル情報が収納されている。上記メッセージを受信した端末は、割り当てられたリソースブロックの個数と指示されたＭＣＳレベルを通じて伝送すべきデータのサイズを決定し、上記決定されたサイズのＭＡＣ ＰＤＵ８０５を構成する。上記ＭＡＣ ＰＤＵは、指示されたＭＣＳレベルによってチャネルコーディングされ、チャネルコーディングされたデータ８１０は、当該ＨＡＲＱプロセスのＨＡＲＱバッファーに保存される。端末は、上記チャネルコーディングされたデータ８１０のうち指示されたＲＶに該当する部分を伝送し、再伝送は、上記ＲＶから所定の順序によって行う。ＲＶの順序は、ＲＶ０、ＲＶ２、ＲＶ３、ＲＶ１であり、通常、端末は、ＲＶ０から始まり、上記順序を循環しながら再伝送を行う。コーディングされたデータにおいてＲＶ０、ＲＶ１、ＲＶ２、ＲＶ３が指示する部分は、例えば、ＲＶ０  ８１５は、最も前方部、ＲＶ１  ８２０は、その次の部分などのようにあらかじめ定められる。実際に各ＲＶが指示する部分は、図８に示されたものとは異なって、不連続的であることが一般的である。一般的に最初伝送は、ＲＶ０  ８１５から始まり、その後、伝送が進行されるほどＲＶ２  ８２５、ＲＶ３  ８３０、ＲＶ１  ８２０が順に伝送される。５番目の伝送で、ＲＶは、さらにＲＶ０に戻る循環的な性格を有する。適応的再伝送が行われる場合、適応的再伝送を指示する逆方向伝送資源割り当てメッセージでＲＶが指定されることもできる。例えば、任意の時点に新しいＭＡＣ ＰＤＵの最初伝送を指示する逆方向伝送資源割り当てメッセージ９０５を受信すれば、端末は、所定のＴ  ９１０以後に割り当てられた伝送資源を通じて伝送すべきＭＡＣ ＰＤＵのＲＶ０  ９１５を伝送する。上記ＭＡＣ ＰＤＵが持続的に再伝送される状況を仮定すれば、端末は、ＨＡＲＱ  ＲＴＴだけ経過した時点に同一の伝送資源を使用してＲＶ２  ９２０を伝送し、さらにＨＡＲＱ ＲＴＴだけ経過した時点に同一の伝送資源を使用してＲＶ３  ９２５を伝送する。この時、基地局が上記端末の再伝送を他の伝送資源に移そうとしたら、端末は、最初伝送用逆方向伝送資源割り当てメッセージと同一のＮＤＩが収納された逆方向伝送資源割り当てメッセージ９３０を所定の時点に伝送する。基地局は、上記適応的再伝送用逆方向伝送資源割り当てメッセージのＲＶを所望の値に設定し、端末のＲＶ順序を変更することもできる。例えば、基地局が上記適応的再伝送用逆方向伝送資源割り当てメッセージ９３０のＲＶを２に指示すれば、端末は、上記再伝送がＲＶ１を伝送する順序であるが、指示されたＲＶ２  ９３５を伝送し、その後、伝送が完了するか、基地局が新しいＲＶを指示するまで、上記指示されたＲＶを基準にしてＲＶ順序を決定する。すなわち、その後ＲＶ３  ９４０、ＲＶ１  ９４５、ＲＶ０  ９５０を伝送する。前述したように、受信した逆方向伝送資源割り当てメッセージのＲＶが０であることは、上記逆方向伝送資源割り当てメッセージが適応的再伝送のため��伝送資源割り当てメッセージではなく、最初伝送のための伝送資源割り当てメッセージであることを意味し、端末は、段階７２５に進行し、上記逆方向伝送資源割り当てメッセージに収納された情報によって新しいＭＡＣ ＰＤＵを構成し、チャネルコーディングしてＨＡＲＱバッファーに保存し、指示されたＲＶに該当する部分、例えばＲＶ０に該当する部分を伝送する。
【００３３】
厳密に話せば、ＲＶが０の伝送資源割り当てメッセージが適応的再伝送のための伝送資源割り当てメッセージであることもできる。例えば、５番目の伝送を行う端末に適応的再伝送を指示するとき、ＲＶ０を使用することを指示することが元々のＲＶ順序に符合するので、さらに効率的であることができる。しかし、基地局がＲＶ０を適応的再伝送に利用するように許容すれば、任意の時点に伝送した適応的再伝送用ＲＶ０の逆方向伝送資源割り当てメッセージを端末が最初伝送用逆方向伝送資源割り当てメッセージとして誤認する場合、あるいはその反対の場合が発生し得るので、本発明において基地局は、適応的再伝送ではＲＶ０を指示しない。すなわち、基地局は、ＲＶ０順序に該当する時点に適応的再伝送用逆方向伝送資源割り当てメッセージを伝送しなければならない場合は、他のＲＶを指示する。これにより、上記伝送効率が低下するが、プロトコル上の明確性を保証することがさらに重要である。
【００３４】
図７に戻って、段階７１５でＲＶが０ではない場合、上記逆方向伝送資源割り当てメッセージは、新しいＭＡＣ ＰＤＵの適応的再伝送用であり、端末が過去任意の時点に新しいＭＡＣ ＰＤＵの最初伝送のための逆方向伝送資源割り当てメッセージを遺失したことを意味する。前述したように、ＨＡＲＱ再伝送は、最大伝送回数によって制限される。ところが、端末が最初伝送のための逆方向伝送資源割り当てメッセージを遺失したということは、端末が上記適応的再伝送が何番目の伝送であるかを知らないことを意味する。端末が最後の再伝送可能時点を誤認する場合、自分の伝送資源ではない伝送資源にデータを伝送することによって、不要な干渉をもたらすことができるので、端末は、段階７２０に進行し、上記受信した逆方向伝送資源割り当てメッセージを無視し、データを伝送しない。
【００３５】
段階７１０で、当該ＨＡＲＱバッファーにデータが保存されていたら、端末は、段階７３０に進行し、ＮＤＩを検査する。上記ＮＤＩが変更されたら、言い替えれば、最も最近に受信した上記ＨＡＲＱプロセスに対する逆方向伝送資源割り当てメッセージで指示されたＮＤＩと上記新しく受信した逆方向伝送資源割り当てメッセージのＮＤＩが異なる値であれば、端末は、上記逆方向伝送資源割り当てメッセージを新しいＭＡＣ ＰＤＵ伝送に対する逆方向伝送資源割り当てメッセージとして判断し、段階７３５に進行し、現在ＨＡＲＱバッファーに保存されているデータを廃棄する。また、段階７１５に進行し、ＲＶ値によって適切な動作を行う。ＮＤＩが変更されなかったら、上記逆方向伝送資源割り当てメッセージは、既存のＭＡＣ ＰＤＵに対する適応的再伝送を指示するメッセージであり、端末は、段階７４０に進行し、指示された伝送資源とＲＶを適用してＨＡＲＱバッファーに保存されているコーディングされたデータのうち該当する部分を指示された伝送資源に伝送する。
【００３６】
図１０は、本発明の一実施例による他の端末動作を示す図である。上記動作は、図７に示された動作と本質的に同一であるが、まずＲＶを検査することによって、動作を単純化する。
【００３７】
段階１００５で、任意のＨＡＲＱプロセスＸに対する逆方向伝送資源割り当てメッセージを受信すれば、端末は、段階１０１０に進行し、上記受信した逆方向伝送資源割り当てメッセージのＲＶが０であるかを検査する。ＲＶが０なら、上記逆方向伝送資源割り当てメッセージは、新しいＭＡＣ ＰＤＵの最初伝送を指示するものであり、端末は、段階１０１５に進行し、上記逆方向伝送資源割り当てメッセージに収納された情報によって新しいＭＡＣ ＰＤＵを構成し、チャネルコーディングしてＨＡＲＱバッファーに保存し、指示されたＲＶ、すなわちＲＶ０に該当する部分を伝送する。
【００３８】
段階１０１０で、ＲＶが０ではなければ、上記逆方向伝送資源割り当てメッセージが新しいＭＡＣ ＰＤＵ伝送を指示するものであるかを判断するために、端末は、段階１０２０に進行し、上記プロセスＸのＨＡＲＱバッファー状態を検査する。上記ＨＡＲＱバッファーが空いていたら、上記逆方向伝送資源割り当てメッセージは、新しいＭＡＣ ＰＤＵの適応的再伝送を指示する逆方向伝送資源割り当てメッセージである。ＲＶは、０ではなく、当該ＨＡＲＱバッファーが空いているということは、端末が過去どの時点に新しいＭＡＣ ＰＤＵの最初伝送のための逆方向伝送資源割り当てメッセージを遺失したことを意味し、端末は、段階１０２５に進行し、上記受信した逆方向伝送資源割り当てメッセージを無視し、データを伝送しない。段階１０２０で、当該ＨＡＲＱプロセスのバッファーにデータが保存されていたら、端末は、段階１０３０に進行し、ＮＤＩ変更可否を検査する。
【００３９】
上記ＮＤＩが変更された場合、言い替えれば、最も最近に受信した上記ＨＡＲＱプロセスに対する逆方向伝送資源割り当てメッセージで指示されたＮＤＩと上記新しく受信した逆方向伝送資源割り当てメッセージのＮＤＩが異なる値である場合、上記逆方向伝送資源割り当てメッセージは、新しいＭＡＣ ＰＤＵの適応的再伝送を指示するものなので、段階１０２５に進行する。ＮＤＩが変更されない場合、上記逆方向伝送資源割り当てメッセージは、既存のＭＡＣ ＰＤＵに対する適応的再伝送のためのメッセージであり、端末は、段階１０３５に進行し、指示された伝送資源とＲＶを適用してＨＡＲＱバッファーに保存されているコーディングされたデータのうち該当する部分を指示された伝送資源に伝送する。
【００４０】
本発明を簡略に要約すれば、端末は、逆方向伝送資源割り当てメッセージを下記３つのうち１つとして判断し、それに合わせて動作する。
【００４１】
一番目は、新しいＭＡＣ ＰＤＵの最初伝送を指示する逆方向伝送資源割り当てメッセージ：ＨＡＲＱバッファーが空いているＨＡＲＱプロセスに対してＲＶが０に設定された逆方向伝送資源割り当てメッセージを受信すれば、新しいＭＡＣ ＰＤＵの最初伝送を指示するものと判断し、通常的な最初伝送方式に基づいて逆方向データを伝送する。
【００４２】
二番目は、現在ＨＡＲＱバッファーに保存されているＭＡＣ ＰＤＵの適応的再伝送を指示する逆方向伝送資源割り当てメッセージ：ＨＡＲＱバッファーにデータが保存されているＨＡＲＱプロセッサに対してＲＶが０ではなく、ＮＤＩがトグルされない逆方向伝送資源割り当てメッセージを受信すれば、現在ＨＡＲＱバッファーに保存されているＭＡＣ ＰＤＵの適応的再伝送を指示するものと判断し、通常的な適応的再伝送方式に基づいて逆方向データを再伝送する。
【００４３】
三番目は、新しいＭＡＣ ＰＤＵの適応的再伝送を指示する逆方向伝送資源割り当てメッセージ：ＨＡＲＱバッファーにデータが保存されていないＨＡＲＱプロセッサに対してＲＶが０ではない逆方向伝送資源割り当てメッセージを受信するか、ＨＡＲＱバッファーにデータが保存されているＨＡＲＱプロセッサに対してＲＶが０ではなく、ＮＤＩが変更された逆方向伝送資源割り当てメッセージを受信すれば、新しいＭＡＣ ＰＤＵの適応的再伝送を指示するものと判断し、受信した逆方向伝送資源割り当てメッセージを無視し、データを伝送しない。
【００４４】
図１１は、本発明の一実施例によるさらに他の端末動作を示す図である。図１１に示した動作で、端末は、まずＮＤＩを検査することによって、動作を単純化する。
【００４５】
段階１１０５で、任意のＨＡＲＱプロセスＸに対する逆方向伝送資源割り当てメッセージを受信すれば、端末は、段階１１１０に進行し、上記受信した逆方向伝送資源割り当てメッセージのＮＤＩとＨＡＲＱプロセスＸの最も最近ＮＤＩが同一であるかを比較する。任意のＨＡＲＱプロセスの最も最近ＮＤＩというのは、当該ＨＡＲＱプロセスに対する最も最近の逆方向伝送資源割り当てメッセージのＮＤＩであることができる。
【００４６】
受信したＮＤＩが最も最近のＮＤＩに比べて増加したら、すなわちその値が変更されたら、端末は、段階１１１５に進行し、上記逆方向伝送資源割り当てメッセージが新しいＭＡＣ ＰＤＵ伝送を指示するものと判断し、上記逆方向伝送資源割り当てメッセージに収納された情報によって新しいＭＡＣ ＰＤＵを構成し、チャネルコーディングしてＨＡＲＱバッファーに保存し、指示されたＲＶに該当する部分を伝送する。
【００４７】
受信したＮＤＩが最も最近のＮＤＩと同一である場合、端末は、段階１１２０に進行し、当該ＨＡＲＱプロセスのバッファー状態を検査する。もしバッファーが空いていたら、上記逆方向伝送資源割り当てメッセージは、新しいＭＡＣ ＰＤＵの伝送を指示するものなので、段階１１１５に進行し、新しいＭＡＣ ＰＤＵを伝送する。受信したＮＤＩが最も最近のＮＤＩと同一であり、当該ＨＡＲＱプロセスが空いていなければ、端末は、段階１１２５に進行し、上記逆方向伝送資源割り当てメッセージが適応的再伝送を指示するものと判断し、指示された伝送資源とＲＶを適用してＨＡＲＱバッファーに保存されているコーディングされたデータのうち該当する部分を指示された伝送資源に伝送する。
【００４８】
図１２は、本発明の一実施例によるさらに他の端末動作を示す図である。図１２に示された動作で、端末は、まずＮＤＩを検査することによって、動作を単純化すると同時に、バッファー状態の代わりにＲＶを利用して最初伝送を指示する逆方向伝送資源割り当てメッセージと再伝送を指示する逆方向伝送資源割り当てメッセージを区分する。
【００４９】
段階１２０５で、任意のＨＡＲＱプロセスＸに対する逆方向伝送資源割り当てメッセージを受信すれば、端末は、段階１２１０に進行し、上記受信した逆方向伝送資源割り当てメッセージのＮＤＩとＨＡＲＱプロセスＸの最も最近ＮＤＩが同一であるかを比較する。
【００５０】
受信したＮＤＩが最も最近のＮＤＩに比べて増加したら、すなわちその値が変更されたら、端末は、段階１２１５に進行し、上記逆方向伝送資源割り当てメッセージが新しいＭＡＣ ＰＤＵ伝送を指示するものと判断し、上記逆方向伝送資源割り当てメッセージに収納された情報によって新しいＭＡＣ ＰＤＵを構成し、チャネルコーディングしてＨＡＲＱバッファーに保存し、指示されたＲＶに該当する部分を伝送する。
【００５１】
受信したＮＤＩが最も最近のＮＤＩと同一である場合、端末は、段階１２２０に進行し、受信した逆方向伝送資源割り当てメッセージのＲＶが０であるかを検査する。ＲＶが０なら、上記逆方向伝送資源割り当てメッセージは、新しいＭＡＣ ＰＤＵの伝送を指示するものなので、段階１２１５に進行し、新しいＭＡＣ ＰＤＵを伝送する。受信したＮＤＩが最も最近のＮＤＩと同一であり、ＲＶが０ではなく、他の値なら、端末は、段階１２２５に進行し、上記逆方向伝送資源割り当てメッセージが適応的再伝送を指示するものと判断し、指示された伝送資源とＲＶを適用してＨＡＲＱバッファーに保存されているコーディングされたデータのうち該当する部分を指示された伝送資源に伝送する。
【００５２】
本発明の他の実施例において、バンドル伝送（ｂｕｎｄｌｅｄ  ｔｒａｎｓｍｉｓｓｉｏｎ）は、ＮＤＩ、ＲＶ及びＨＡＲＱバッファー状態を利用して逆方向伝送資源割り当てメッセージを解釈する方法及び装置を提示する。
【００５３】
バンドル伝送というのは、端末が割り当てられた伝送資源を利用して一定回数で繰り返し伝送するようにする技法であって、セル端部に位置する端末の伝送出力不足問題を解決するためのものである。バンドル伝送において端末は、割り当てられた伝送資源を連続４回利用してＲＶ０、ＲＶ２、ＲＶ３、ＲＶ１を一度に伝送する。基地局は、上記４回にわたって受信されるデータを軟性結合した後、エラー有無を判断し、ＨＡＲＱＡＣＫあるいはＨＡＲＱＮＡＣＫを伝送する。
【００５４】
図１３は、ＲＶバンドル伝送例を示す図である。
例えば、任意の時点にバンドル伝送が設定された端末に新しいＭＡＣ ＰＤＵの最初伝送を指示する逆方向伝送資源割り当てメッセージ１３０５が受信されれば、端末は、所定のＴ  １３１０が経過した後、４回のＴＴＩの間に上記割り当てられた伝送資源にＲＶ０、ＲＶ２、ＲＶ３、ＲＶ１を伝送する（１３１５）。所定の期間が経過した後、ＨＡＲＱＮＡＣＫが受信されれば、端末は、バンドル伝送用に定義されたＨＡＲＱ ＲＴＴ  １３２０だけ経過した時点に同一の伝送資源を使用してＲＶ０、ＲＶ２、ＲＶ３、ＲＶ１を再伝送する（１３２５）。
【００５５】
バンドル伝送では、このように伝送と再伝送に同一のＲＶを使用する。言い替えれば、適応的再伝送のための逆方向伝送資源割り当てメッセージのＲＶと最初伝送用逆方向伝送資源割り当てメッセージのＲＶは、同一の値が使用される。例えば、任意の時点に適応的再伝送のための逆方向伝送資源割り当てメッセージ１３３０が伝送される時、上記メッセージのＲＶは、０であって、最初伝送用逆方向伝送資源割り当てメッセージ１３０５のＲＶと同一である。このように、適応的再伝送と最初伝送に同一のＲＶが使用されることによって、端末は、ただＮＤＩとＨＡＲＱバッファー状態を参照して逆方向伝送資源割り当てメッセージが適応的再伝送用であるか、最初伝送用であるかを判断しなければならない。前述したように、最初伝送のための逆方向伝送資源割り当てメッセージが遺失される場合、ＮＤＩとバッファー状態だけで適応的再伝送用であるか、最初伝送用であるかを判断することは不可能である。例えば、図１３で、端末が最初伝送用逆方向伝送資源割り当てメッセージ１３０５は受信せず、適応的再伝送用逆方向伝送資源割り当てメッセージ１３３０だけを受信したら、ＮＤＩがトグルされる可能性が高いため、端末は、上記適応的再伝送用逆方向伝送資源割り当てメッセージ１３３０を最初伝送用逆方向伝送資源割り当てメッセージとして誤認する可能性が高い。
【００５６】
本発明では、前述したような問題点を解決するために、バンドル伝送の場合には、逆方向伝送資源割り当てメッセージのＲＶ情報がＲＶを指示するものではなく、伝送回数を指示するようにする。
【００５７】
図１４は、本発明の他の実施例による全体動作を示す図である。
基地局は、最初伝送のための逆方向伝送資源割り当てメッセージのＲＶは、０に設定し（１４０５）、２番目の伝送に対する適応的再伝送を行う場合、当該逆方向伝送資源割り当てメッセージのＲＶは、１に設定し（１４２０）、３番目の伝送に対する適応的再伝送用逆方向伝送資源割り当てメッセージのＲＶは、２に設定し（１４３０）、４番目の伝送に対する適応的再伝送用逆方向伝送資源割り当てメッセージのＲＶは、３に設定する（１４４０）など、適応的再伝送用逆方向伝送資源割り当てメッセージを伝送する場合、当該メッセージのＲＶを伝送回数によって１ずつ増加する値を設定する。
【００５８】
端末は、ＨＡＲＱバッファーが空いているＨＡＲＱプロセスに対する逆方向伝送資源割り当てメッセージのＲＶが０でなければ、すなわち最初伝送用逆方向伝送資源割り当てメッセージを受信しない状態で適応的再伝送用伝送資源割り当てメッセージを受信すれば、上記逆方向伝送資源割り当てメッセージを無視する。
【００５９】
図１５は、本発明の他の実施例による端末動作を示す図である。
段階１５０５で、任意のＨＡＲＱプロセスＸに対する逆方向伝送資源割り当てメッセージを受信すれば、端末は、段階１５１０に進行し、上記受信した逆方向伝送資源割り当てメッセージのＲＶが０であるかを検査する。ＲＶが０なら、上記逆方向伝送資源割り当てメッセージは、新しいＭＡＣ ＰＤＵの最初伝送を指示するものであり、端末は、段階１５０５に進行し、現在バンドル伝送中にあるかを検査する。上記バンドル伝送適用可否は、上位階層の制御メッセージを通じて設定される。バンドル伝送中の場合、端末は、段階１５１７に進行し、バンドル伝送の中ではない場合、段階１５１５に進行する。段階１５１５で、端末は、上記逆方向伝送資源割り当てメッセージに収納された情報によって新しいＭＡＣ ＰＤＵを構成し、チャネルコーディングしてＨＡＲＱバッファーに保存し、指示されたＲＶ、すなわちＲＶ０に該当する部分を伝送する。段階１５１７で、端末は、上記逆方向伝送資源割り当てメッセージに収納された情報によって新しいＭＡＣ ＰＤＵを構成し、チャネルコーディングしてＨＡＲＱバッファーに保存する。また、割り当てられた伝送資源を通じてＲＶ０、ＲＶ２、ＲＶ３、ＲＶ１に該当する部分を順次に伝送する。
【００６０】
段階１５１０で、ＲＶが０でなければ、上記逆方向伝送資源割り当てメッセージが新しいＭＡＣ ＰＤＵ伝送を指示するものであるかを判断するために、端末は、段階１５２０に進行し、上記プロセスＸのＨＡＲＱバッファー状態を検査する。上記ＨＡＲＱバッファーが空いていたら、上記逆方向伝送資源割り当てメッセージは、新しいＭＡＣ ＰＤＵの適応的再伝送を指示する逆方向伝送資源割り当てメッセージである。当該ＨＡＲＱバッファーが空いているというのは、上記ＨＡＲＱバッファーのデータが廃棄された後、新しいＭＡＣ ＰＤＵの最初伝送を指示する逆方向伝送資源割り当てメッセージを遺失したことを意味する。前述したように、ＨＡＲＱ再伝送は、最大伝送回数によって制限される。ところが、端末が最初伝送のための逆方向伝送資源割り当てメッセージを遺失したら、端末は、上記適応的再伝送が何番目の伝送であるかを知らずに、最後の再伝送可能時点を把握することができない。端末が最後の再伝送可能時点を誤認する場合、自分の伝送資源ではない伝送資源にデータを伝送することによって、不要な干渉をもたらすことができるので、端末は、段階１５２５に進行し、上記受信した逆方向伝送資源割り当てメッセージを無視し、データを伝送しない。段階１５２０で、当該ＨＡＲＱプロセスのバッファーにデータが保存されていたら、端末は、段階１５３０に進行し、ＮＤＩ変更可否を検査する。
【００６１】
上記ＮＤＩが変更された場合は、言い替えれば、最も最近に受信した上記ＨＡＲＱプロセスに対する逆方向伝送資源割り当てメッセージで指示されたＮＤＩと上記新しく受信した逆方向伝送資源割り当てメッセージのＮＤＩが異なる値なら、端末は、上記逆方向伝送資源割り当てメッセージを新しいＭＡＣ ＰＤＵの適応的再伝送を指示する伝送資源割り当てメッセージとして判断し、段階１５２５に進行する。ＮＤＩが変更されない場合は、上記逆方向伝送資源割り当てメッセージは、既存のＭＡＣ ＰＤＵに対する適応的再伝送のためのメッセージであり、端末は、段階１５３３に進行し、現在バンドル伝送中にあるかを検査する。バンドル伝送中ではない場合は、段階１５３５に進行し、指示された伝送資源を利用してＨＡＲＱバッファーに保存されているコーディングされたデータのＲＶ０、ＲＶ２、ＲＶ３、ＲＶ１のうち指示されたＲＶに該当する部分を伝送する。バンドル伝送中の場合、端末は、段階１５３７に進行し、指示されたＲＶを無視し、ＨＡＲＱバッファーに保存されているコーディングされたデータのＲＶ０、ＲＶ２、ＲＶ３、ＲＶ１を順次に伝送する。
【００６２】
本発明の他の実施例を簡略に要約すれば、端末は、逆方向伝送資源割り当てメッセージを下記３つのうち１つとして判断し、それに合わせて動作する。
【００６３】
新しいＭＡＣ ＰＤＵの最初伝送を指示する逆方向伝送資源割り当てメッセージ：ＨＡＲＱバッファーが空いているＨＡＲＱプロセスに対してＲＶが０に設定された逆方向伝送資源割り当てメッセージを受信すれば、新しいＭＡＣ ＰＤＵの最初伝送を指示するものと判断し、通常的な最初伝送方式に基づいて逆方向データを伝送する。
【００６４】
現在、ＨＡＲＱバッファーに保存されているＭＡＣ ＰＤＵの適応的再伝送を指示する逆方向伝送資源割り当てメッセージ：ＨＡＲＱバッファーにデータが保存されているＨＡＲＱプロセッサに対してＲＶが０ではなく、ＮＤＩが変更されない逆方向伝送資源割り当てメッセージを受信すれば、現在ＨＡＲＱバッファーに保存されているＭＡＣ ＰＤＵの適応的再伝送を指示するものと判断し、通常的な適応的再伝送方式に基づいて逆方向データを再伝送する。バンドル伝送中の端末は、指示されたＲＶを無視し、所定の順序、例えばＲＶ０、ＲＶ２、ＲＶ３、ＲＶ１の順にデータを伝送する。
【００６５】
新しいＭＡＣ ＰＤＵの適応的再伝送を指示する逆方向伝送資源割り当てメッセージ：ＨＡＲＱバッファーにデータが保存されていないＨＡＲＱプロセッサに対してＲＶが０ではない逆方向伝送資源割り当てメッセージを受信するか、ＨＡＲＱバッファーにデータが保存されているＨＡＲＱプロセッサに対してＲＶが０ではなく、ＮＤＩが変更された逆方向伝送資源割り当てメッセージを受信すれば、新しいＭＡＣ ＰＤＵの適応的再伝送を指示するものと判断し、受信した逆方向伝送資源割り当てメッセージを無視し、データを伝送しない。
【００６６】
図１６は、本発明の実施例による端末装置のブロック構成図である。
端末装置は、上位階層装置１６０５、ＨＡＲＱ装置１６１０、送受信部１６２５、伝送資源制御部１６２０、ＰＤＣＣＨ処理部１６３０で構成される。
【００６７】
端末の送受信部１６２５は、無線チャネルを通じてＰＤＣＣＨを受信し、その他のトラフィックを送受信する装置である。送受信部１６２５は、ＰＤＣＣＨを通じて受信された信号をデコーディングし、ＰＤＣＣＨ処理部１６３０に伝達する。
【００６８】
ＰＤＣＣＨ処理部１６３０は、送受信部１６２５が伝達したデコーディングされた信号に所定のＣＲＣ演算を行い、エラー有無を判断し、エラーがない伝送資源割り当てメッセージは、伝送資源制御部１６２０に伝達する。伝送資源制御部１６２０は、ＰＤＣＣＨ処理部１６３０が伝達した伝送資源割り当てメッセージのＮＤＩとＲＶそして当該ＨＡＲＱバッファーの状態を利用して上記伝送資源割り当てメッセージが新しいＭＡＣ ＰＤＵの最初伝送を指示する逆方向伝送資源割り当てメッセージ、既存のＭＡＣ ＰＤＵの適応的再伝送を指示する逆方向伝送資源割り当てメッセージ、新しいＭＡＣ ＰＤＵの適応的再伝送を指示する逆方向伝送資源割り当てメッセージのうちいずれかに該当するかを判断する。新しいＭＡＣ ＰＤＵの最初伝送を指示する逆方向伝送資源割り当てメッセージなら、割り当てられた伝送ブロックの数とＭＣＳレベルを利用して伝送すべきＭＡＣ ＰＤＵのサイズを決定し、上記決定されたサイズのＭＡＣ ＰＤＵを構成し、ＨＡＲＱプロセッサに伝達するように上位階層装置を制御する。既存のＭＡＣ ＰＤＵの適応的再伝送を指示する逆方向伝送資源割り当てメッセージを受信したら、当該ＨＡＲＱプロセスが適応的再伝送を行うようにＨＡＲＱ装置１６１０を制御する。新しいＭＡＣ ＰＤＵの適応的再伝送を指示する逆方向伝送資源割り当てメッセージを受信したら、逆方向伝送資源割り当てメッセージを無視し、何の動作を行わない。
【００６９】
上位階層装置１６０５は、ＲＬＣ装置、ＰＤＣＰ装置及びＭＡＣの多重化装置などを通称する。ＨＡＲＱ装置１６１０は、多数のＨＡＲＱプロセスで構成され、ＨＡＲＱプロセス別に通常的なＨＡＲＱ動作を行う。
【００７０】
本明細書と図面に開示された本発明の実施例は、本発明の技術内容を容易に説明し、本発明の理解を助けるために特定例を提示したものに過ぎず、本発明の範囲を限定しようとするものではない。ここに開示された実施例以外にも本発明の技術的思想に基づく他の変形例が実施可能であることは、本発明の属する技術分野における通常の知識を有する者に自明であろう。
【符号の説明】
【００７１】
１０１  ＵＥ
１１０、１１２  Ｅ−ＲＡＮ
１２０、１２２、１２４、１２６、１２８  ＥＮＢ
【図１】
0005977946.tif 000003
【図２】
0005977946.tif 000004
【図３】
0005977946.tif 000005
【図４】
0005977946.tif 000006
【図５】
0005977946.tif 000007
【図６】
0005977946.tif 000008
【図７】
0005977946.tif 000009
【図８】
0005977946.tif 000010
【図９】
0005977946.tif 000011
【図１０】
0005977946.tif 000012
【図１１】
0005977946.tif 000013
【図１２】
0005977946.tif 000014
【図１３】
0005977946.tif 000015
【図１４】
0005977946.tif 000016
【図１５】
0005977946.tif 000017
【図１６】
0005977946.tif 000018